(57)【要約】【課題】ローラー保持器を提供する。【解決手段】本発明は一種のローラー保持器に関わるもので、ローラーを囲みおよび仕切ることにより、隣り合うローラーの軸方向と径方向を交叉して並ばせる。主に公知技術のボールらせん棒の磨耗早い、滑り軌条と滑り塊の転動溝、回流孔の加工困難の欠点を解決できる。主に二つまたは四つの対角関係を形成する長いチェーン接続部において、等間隔にて、複数の仕切り部を設けて、本発明の保持器を構成する。仕切り部の両側面に方向を交叉した凹み部を設け、向かい合った仕切り部に同一方向の凹み部を設けて、ローラー組を保持器に取り付けるときは、交叉して取り付けることにより、V溝ローラーと線型滑り軌条を同時に利用できる。【選択図】図５
2007255467.tif 000002
【特許請求の範囲】
【請求項１】
一種のローラー保持器、二つまたは四つの対角関係を形成する長いチェーン接続部において、等間隔にて、仕切り部を設け、各仕切り部の間にローラーを設けて、仕切り部の両側面に方向を交叉した凹み部を設け、向かい合った仕切り部に同一方向の凹み部を設けて、ローラー組を保持器に取り付けるときも交叉して取り付けることを特徴とするローラー保持器。
【請求項２】
請求項１記載のローラー保持器において、各ローラーの径方向の長さを軸方向の長さより長く設けることを特徴とするローラー保持器。
【請求項３】
請求項１または請求項２記載のローラー保持器において、各チェーン接続部は隣り合ったローラーの挟み角に設けることを特徴とするローラー保持器。
【発明の詳細な説明】
【技術分野】
【０００１】
本発明は一種のローラー保持器に関わるもので、ローラー変移の制限および仕切ることにより、隣り合うローラーの軸方向と径方向を交叉して並べて、V溝ローラーと線型滑り軌条を同時に利用できる。
【背景技術】
【０００２】
図１、図２に示すとおり、早期のローラー１６に滑り溝１４の滑り塊１０と滑り溝１４内部に備える滑り軌条１５より構成する。滑り塊１０はローラー１６の負荷機能として、滑り溝１４内壁両側に複数の転動溝１４１を設けて、ローラー１６の転動軌条を提供する。転動溝１４１はローラー１６側面の輪郭にそって、滑り軌条１５の断面に合わせて、矩形孔を形成する。転動溝１４１は機構の負荷を受けて、ローラー１６の反対方向変移を可能とし、絶えずに転動運動を繰り返す目的を実現できる。滑り塊１０の端面に一端面から他の端面に貫通した複数の回流孔１１を設け、回流孔１１はローラー１６側面の輪郭に沿って、その断面に矩形孔を形成する。前記した転動溝１４１と回流孔１１が向かい合った近傍に、チェーン１７を通すため、それぞれに逃げ溝１３と翼形溝１２を設けて、チェーン１７のフランジ１７１を通過させる。しかしながら、公知技術の滑り塊１０の回流孔１１は、加工が困難のほか、コスト高により、経済効果が少ない。
【０００３】
図３に示すとおり、公知技術のローラーはナットを設け、ローラーをナット１８内部でらせん状に運動する。使用するときは、ナット１８を固定しておく、らせん棒１９のみを変移させるか、またはらせん棒１９を定位置に回転させ、ナット１８を変移させる。あるいは、ナット１８とらせん棒１９を同時に変移させる。しかし、いずれの駆動方式においても、ナット１８のらせん状転動経路１８１、らせん棒１９の転動経路１９１およびこの両者の転動経路１８１、１９１で転動するボール１９２は、適切な潤滑を与えて、らせん棒１９、ナット１８が変移するときの順調性、らせん棒１９、ナット１８、ボール１９２など部材磨耗の軽減を図る。しかしながら、らせん棒１９、ナット１８の駆動は球形状のボール１９２に頼るため、ボール１９２と転動経路１８１、１９１との接触する場所は、球体の最高位置、すなわち、一点のみが接触されている。よって、各ボール１９２が負荷を受けるとき、磨耗し易いため、らせん棒１９、ナット１８は駆動するときに、騒音を発生するほか、ボール精密度の低下になりかねない。
【発明の開示】
【発明が解決しようとする課題】
【０００４】
本発明の主な目的は、隣り合うローラーの軸方向と径方向を交叉して配列し、本発明の保持器にローラーを取り付けることにより、V溝ローラーと線型滑り軌条が同時に利用可能とすることを実現する。
【０００５】
本発明の次の目的は、ローラー径方向の長さを軸方向の長さより長く設けることにより、保持器はローラーと協働するとき、転動溝に接触しないため、転動運動の効率を維持する目的を実現できる。
【０００６】
本発明のさらなる目的は、保持器に交叉して取り付けたローラーは、ナットとらせん棒のV型溝で転動運動するとき、各ローラーは交叉して軸方向に接触するため、ローラーの磨耗を軽減し、負荷能力の向上を実現する。
【０００７】
本発明のもう一つの目的は、交叉して保持器に設けるローラーは、滑り塊と滑り軌条のV型溝間に転動運動を実現し、滑り軌条と滑り塊間の転動経路加工困難度を軽減する目的を実現する。
【課題を解決するための手段】
【０００８】
請求項１の発明は、一種のローラー保持器、二つまたは四つの対角関係を形成する長いチェーン接続部において、等間隔にて、仕切り部を設け、各仕切り部の間にローラーを設けて、仕切り部の両側面に方向を交叉した凹み部を設け、向かい合った仕切り部に同一方向の凹み部を設けて、ローラー組を保持器に取り付けるときも交叉して取り付けることを特徴とするローラー保持器としている。
請求項２の発明は、請求項１記載のローラー保持器において、各ローラーの径方向の長さを軸方向の長さより長く設けることを特徴とするローラー保持器としている。
請求項３の発明は、請求項１または請求項２記載のローラー保持器において、各チェーン接続部は隣り合ったローラーの挟み角に設けることを特徴とするローラー保持器としている。
【発明の効果】
【０００９】
本発明は主に二つまたは四つの対角関係を形成する長いチェーン接続部において、等間隔にて、複数の仕切り部を設けて、この仕切り部にローラーを組み込む。仕切り部の両側面に方向を交叉した凹み部を設け、向かい合った仕切り部に同一方向の凹み部を設けて、ローラー組を保持器に取り付けるときも交叉して取り付ける。
【発明を実施するための最良の形態】
【００１０】
図４、５、１１、１２に示すものは、本発明の保持器２０の実施例１である。主に四つの細長い、かとう性を有するチェーン接続部２１、２２、２３、２４を四つの隅に分布して、矩形の空間を形成する。この四つのチェーン接続部２１、２２、２３、２４によって囲まれた空間を等距離、等間隔にて配列した仕切り部２５、２６を設け、仕切り部２５(２６)の両側に、方向を交叉した凹み部２５１(２６１)、２５２(２６２)を設けて、凹み部２５１は縦方向の円弧形凹み形状とし、凹み部２５２は横方向の円弧形凹み形状とする。隣り合う仕切り部２５、２６の向かい合った側面に、同一方向の円弧形凹み部２５２、２６２を設け、向かい合う仕切り部２５、２６の間に軸方向の横置きローラー２７(すなわち、径方向を縦置きする)を設ける。ローラー２７隣側のローラー２８の軸方向を縦置き(すなわち、径方向を縦置きする)にして、ローラー２７径方向の長さを軸方向の長さより長く設けることにより横置き(または縦置き)したローラー２７(または２８)の外周面を各チェーン接続部２１、２２、２３、２４で囲まれた矩形空間の外側に突き出して設ける。
【００１１】
図６、７に示すものは、本発明の実施例２である。主に、等距離に配列した仕切り部２５(２６)の一つの向かい合う対角端に、それぞれ長いチェーン接続部２１、２３を設ける。なお、本実施例において、保持器その他の特徴は実施例１に同様である。
【００１２】
図８から図１０に示すとおり、ローラー２７(２８)を取り付けた保持器２０は、かとう性材質のため、折り曲げてナット３０とらせん棒２９のらせん状V型溝３０１、２９１の間に取り付けることができる。ローラー２７(２８)を取り付けた保持器２０は、一つのチェーン接続部をナット３０のV型溝３０１先端に向かって取り付け、保持器２０の取り付け端を対角端のチェーン接続部がらせん棒２９のV型溝２９１先端に照準し取り付ける。二つの隣り合う方向を交叉したローラー２７、２８の外周面を二つのV型溝より構成する二つの向かい合った側面に係止めておく、ローラー２７(２８)の径方向の長さを軸方向の長さより大きく設け、保持器の各チェーン接続部２１、２２、２３、２４と各仕切り部２５(２６)とも宙ぶらり状態に設けて、二つのV型溝２９１、３０１に接触しないため、各ローラー２７、２８より発生された運動エネルギーは影響されない。一方、各ローラー２７(２８)は軸方向全体を二つのV型溝２９１、３０１の間に転動運動するため、それぞれのローラー２７(２８)は、より大きい負荷を受けることができる。これにより、各ローラー２７(２８)の磨耗を軽減し、低騒音と精密度を維持する効果を実現する。
【００１３】
図１７に示すものは、方向を交叉するローラー２７(２８)を取り付けた本発明の保持器２０の線型滑り軌条における応用例である。滑り塊３１と滑り軌条３２の向かい合った側面にV型溝３１１、３２１を設け、二つのV型溝３１１、３２１の間にローラー２７(２８)を取り付けた保持器２０を設ける。保持器２０は二つのV型溝３１１、３２１の間に循環転動運動できる。本発明の保持器の設計により、滑り軌条３２と滑り塊３１に向かい合った側面のV型溝３１１、３２１は簡単に加工できる。
【００１４】
図１３から図１５に示すものは、本発明仕切り部２５(２６)の凹み部２５２(２６１)における各種の実施例である。図１３は、仕切り部２５(２６)の凹み部２５２(２６１)は上下両側から中間部に向かって、中間部をさらに引き込んで二重の円弧面を形成する。ただし、ローラー２７(２８)は中間部の凹み場所に接触しない。図１４に示すとおり、仕切り部２５(２６)の凹み部は上下両側から中間部に傾斜する状態である。図１５に示すとおり、仕切り部２５は二つの対角関係を形成するチェーン接続部２１、２２、２３、２４の間に二次チェーン接続部２１１、２２１を設け、二つの二次チェーン接続部２１１、２２１の間に交叉する場所に、球形部２３１を設けて、隣り合った二つのローラー２７(２８)を係止める。
【図面の簡単な説明】
【００１５】
【図１】公知技術の線型滑り軌条と滑り塊の立面分解図である。
【図２】公知技術の線型滑り軌条と滑り塊の断面図である。
【図３】公知技術のボールの立面局部断面図である。
【図４】本発明の保持器の実施例１の立面図である。
【図５】本発明の保持器の実施例２の立面図である。
【図６】本発明の保持器実施例１におけるローラーを取り付けた立面図である。
【図７】本発明の保持器実施例２におけるローラーを取り付けた立面図である。
【図８】本発明の保持器の実施例１の折り曲げた表示図である。
【図９】本発明をらせん棒とナットとの間に設ける局部断面図である。
【図１０】本発明をらせん棒とナットとの間に設ける断面図である。
【図１１】図６の上視図である。
【図１２】図６の断面図である。
【図１３】本発明の保持器の間隔を示す実施例２の実施態様図である。
【図１４】本発明の保持器の仕切り部を示す実施例３の実施態様図である。
【図１５】本発明の保持器の仕切り部を示す実施例４の実施態様図である。
【図１６】本発明の保持器の仕切り部を示す実施例４の側視図である。
【図１７】本発明を滑りレールと滑り塊の間に設ける立面断面図である。
【符号の説明】
【００１６】
１０  滑り塊
１１  回流孔
１２  翼形溝(wing shape groove)
１３  逃げ溝
１４  滑り溝
１４１  転動溝
１５  滑り軌条
１７  チェーン
１７１  フランジ
１８  ナット
１８１、１９１  転動経路
１９  らせん棒
１９２  ボール
２０  保持器
２１、２２、２３、２４  チェーン接続部
２５１、２５２、２６１、２６２  凹み部
２９  らせん棒
２９１  V型溝
３０  ナット
３１  滑り塊
３１１  V型溝
３２  滑り軌条
２１１、２２１  二次チェーン接続部
２３１  球形部
１６  ローラー
１９１  転動経路
２５、２６  仕切り部
２７、２８  ローラー
３０１  V型溝
３２１  V型溝
【図１】
2007255467.tif 000003
【図２】
2007255467.tif 000004
【図３】
2007255467.tif 000005
【図４】
2007255467.tif 000006
【図５】
2007255467.tif 000007
【図６】
2007255467.tif 000008
【図７】
2007255467.tif 000009
【図８】
2007255467.tif 000010
【図９】
2007255467.tif 000011
【図１０】
2007255467.tif 000012
【図１１】
2007255467.tif 000013
【図１２】
2007255467.tif 000014
【図１３】
2007255467.tif 000015
【図１４】
2007255467.tif 000016
【図１５】
2007255467.tif 000017
【図１６】
2007255467.tif 000018
【図１７】
2007255467.tif 000019